(57)【特許請求の範囲】
【請求項１】
金属粒子（Ｐ）と、樹脂（Ｍ）と、下記一般式（１）で示される有機リン化合物（Ａ）とを含み、
前記金属粒子（Ｐ）が、銅、ニッケル、アルミニウムおよびスズの群から選択される１種の金属またはこれらの群から選択される２種以上を含有する合金からなる第１の金属粒子（Ｐ１）を含み、
前記樹脂（Ｍ）の少なくとも一部が、熱硬化性樹脂（Ｍ１）であり、
前記熱硬化性樹脂（Ｍ１）が、イミド基を１分子中に２単位以上有するマレイン酸イミド化合物を含む、導電性接着剤組成物。
【化１】
0005972490.tif 000009
ただし、上記一般式（１）においてＲは、それぞれ独立して、有機基を示し、Ｒは互いに同一であっても異なっていてもよい。また、ｘおよびｙは、ともに０〜３の整数であり、かつ、ｘおよびｙの和（ｘ＋ｙ）は、３である。
【請求項２】
前記一般式（１）においてＲは、それぞれ独立して、アルキル基、アリール基、官能基を有する有機基、ヘテロ原子を有する有機基、および不飽和結合を有する有機基から選択されるいずれかである、請求項１に記載の導電性接着剤組成物。
【請求項３】
前記一般式（１）においてＲは、それぞれ独立して、その一部にビニル基、アクリル基、メタアクリル基、マレイン酸エステル基、マレイン酸アミド基、マレイン酸イミド基、１級アミノ基、２級アミノ基、チオール基、ヒドロシリル基、ヒドロホウ素基、フェノール性水酸基およびエポキシ基から選択されるいずれか１種以上を有する、請求項１または２に記載の導電性接着剤組成物。
【請求項４】
前記有機リン化合物（Ａ）の数平均分子量が２６０以上である、請求項１〜３のいずれか１項に記載の導電性接着剤組成物。
【請求項５】
前記マレイン酸イミド化合物が、炭素数１０以上の脂肪族アミンに由来する骨格を含む、請求項１〜４のいずれか１項に記載の導電性接着剤組成物。
【請求項６】
前記マレイン酸イミド化合物の数平均分子量が３０００以上である、請求項１〜５のいずれか１項に記載の導電性接着剤組成物。
【請求項７】
前記金属粒子（Ｐ）が、前記第１の金属粒子（Ｐ１）と、該第１の金属粒子（Ｐ１）とは異なる金属成分系の第２の金属粒子（Ｐ２）とを含む混合物であり、
前記第１の金属粒子（Ｐ１）および前記第２の金属粒子（Ｐ２）が、互いに、金属間化合物を形成し得る金属成分を含む、請求項１〜６のいずれか１項に記載の導電性接着剤組成物。
【請求項８】
前記第２の金属粒子（Ｐ２）が、銅、ニッケル、アルミニウム、スズ、亜鉛、チタン、銀、金、インジウム、ビスマス、ガリウムおよびパラジウムの群から選択される１種の金属またはこれらの群から選択される２種以上を含有する合金からなる、請求項７に記載の導電性接着剤組成物。
【請求項９】
前記第１の金属粒子（Ｐ１）および前記第２の金属粒子（Ｐ２）の少なくとも一方が、２種以上の金属成分を含んでなる合金粒子である、請求項７または８に記載の導電性接着剤組成物。
【請求項１０】
ＤＳＣ（示差走査熱量測定）で観測される、１００〜２５０℃の温度範囲における吸熱ピークが、未焼結の状態では少なくとも１つ観測され、かつ焼結した状態では消失する、請求項１〜９のいずれか１項に記載の導電性接着剤組成物。
【請求項１１】
請求項１〜１０のいずれか１項に記載の導電性接着剤組成物を基材上に膜状に成形してなる、導電性接着フィルム。
【請求項１２】
請求項１１に記載の導電性接着フィルムと、ダイシングテープとを貼り合せてなる、ダイシング・ダイボンディングフィルム。
【発明の詳細な説明】
【技術分野】
【０００１】
本発明は、導電性接着剤組成物ならびにこれを用いた導電性接着フィルムおよびダイシング・ダイボンディングフィルムに関する。
【背景技術】
【０００２】
半導体装置は、一般に、リードフレームの素子担持部上または絶縁基板の回路電極部上に、半導体素子（チップ）を接合するためのダイマウント材を形成する工程と、リードフレーム上もしくは回路電極上のダイマウント材表面に半導体素子を搭載し、リードフレームの素子担持部もしくは絶縁基板の回路電極部と半導体素子とを接合する工程と、半導体素子の電極部と、リードフレームの端子部もしくは絶縁基板の端子部を電気的に接合するワイヤボンディング工程と、このようにして組み立てた半導体装置を樹脂被覆するモールド工程とを経て製造される。
【０００３】
ここで、リードフレームの素子担持部もしくは絶縁基板の回路電極部と半導体素子とを接合する際には、接合材が用いられている。例えば、ＩＧＢＴやＭＯＳ−ＦＥＴ等のパワー半導体の接合材としては、高融点で耐熱性のある鉛を８５質量％以上含んだ鉛はんだが広く用いられてきた。しかし、近年、鉛の有害性が問題視されており、接合材についても鉛フリーの要求が高まってきている。
【０００４】
また、ＳｉＣパワー半導体は、Ｓｉパワー半導体と比較して、低損失であるとともに、高速および高温での動作が可能であるという特徴があり、次世代パワー半導体として期待されている。このようなＳｉＣパワー半導体は、理論上２００℃以上での動作が可能であるが、インバータ等のシステムの高出力高密度化を実用化する上では、接合材を含む周辺材料についても耐熱性の向上が望まれている。
【０００５】
これらの背景から、近年では、鉛フリータイプで、高融点の各種接合材料が評価されている。このような高融点の鉛フリータイプの接合材料としては、例えば特許文献１で開示されているＡｕ−Ｓｎ系合金やＡｕ−Ｇｅ系合金等のＡｕ系合金などがあり、これらは電気伝導および熱伝導が良好で、化学的にも安定である点で注目されている。しかし、このようなＡｕ系合金材料は、貴金属を含むため材料コストが高くなり、また、より良い実装信頼性を得るためには高価な高温真空リフロー装置が必要となるため、未だ実用化には至っていない。
【０００６】
また、多くの鉛フリーはんだは、鉛はんだよりも濡れ性が悪いという問題がある。そのため、鉛フリーはんだを接合材として用いた場合には、ダイパッド部分にはんだが塗れ拡がらず、はんだ抜けなどの接合不良を発生するリスクが高くなる。特に、濡れ性の問題は、鉛フリーはんだの融点が高くなる程、悪化する傾向にあるため、耐熱性と実装信頼性とを両立することが困難であった。
【０００７】
このような課題を解決する為、特許文献２や特許文献３では、Ｃｕ系はんだやＳｎ系はんだ等の拡散焼結型のはんだの研究が進められている。これら拡散焼結型のはんだは、未焼結の状態では低融点であり実装温度を低温化でき、さらに、拡散焼結反応後の状態では不可逆的に高融点化するため、従来の鉛フリーはんだでは困難であった耐熱性と実装信頼性との両立が期待されている。しかし、拡散焼結型はんだも、従来の鉛フリーはんだ同様に、濡れ性の問題があり、大面積を接合する際には、はんだ抜けのリスクは回避できない。また、拡散焼結型はんだは、焼結体の状態では硬くて脆いため、応力緩和性に乏しく、耐熱疲労特性が低いという問題があり、十分な接合信頼性が得られるまでには至っていなかった。
【０００８】
また、鉛はんだや鉛フリーはんだの多くは、金属の酸化被膜を除去する目的で、カルボン酸やアルコール等のフラックスを添加する事が一般的である。しかし、これらフラックス成分は、吸湿し易い上に、ブリードアウトし易く、このような吸湿水分とブリードアウトの発生が、半導体素子の封止パッケージにおける吸湿後の耐リフロー信頼性（ＭＳＬ）に悪影響を与えることが知られている。そこで、一般的には、はんだリフロー実装後に、フラックス洗浄が行われているが、このような処理は、その手間や洗浄廃液の処理の問題がある。一方で、これらの問題を回避すべく、吸湿およびブリードアウトの原因となるカルボン酸やアルコール等のフラックス成分の添加量を低減すると、酸化膜の除去性能が不足し、導電性やその他の性能が十分に発揮されないという問題が生じる。そのため、未だ十分な解決には至っていない。
【先行技術文献】
【特許文献】
【０００９】
【特許文献１】特開２００６−０３２８８８号公報
【特許文献２】特開２００７−１５２３８５号公報
【特許文献３】特開２００２−２６３８８０号公報
【発明の概要】
【発明が解決しようとする課題】
【００１０】
そこで本発明は、例えば半導体チップ（特にパワーデバイス）をリードフレームの素子担持部上または絶縁基板の回路電極部上に接合する際の導電接合材として好適に用いられ、鉛フリーを達成しつつ、特に接合・焼結後の耐熱性と実装信頼性の双方に優れた接合層を、半導体チップとリードフレームの素子担持部上または絶縁基板の回路電極部間に形成することが可能な導電性接着剤組成物ならびにこれを用いた導電性接着フィルムおよびダイシング・ダイボンディングフィルムを提供することを目的とする。
【課題を解決するための手段】
【００１１】
本発明者らは、鋭意検討した結果、特に、所定の金属粒子（Ｐ）と所定の有機リン化合物（Ａ）を組み合わせることによって、例えば半導体チップ（特にパワーデバイス）と、リードフレームの素子担持部上または絶縁基板の回路電極部との間に、鉛フリーで、しかも、接合・焼結後の耐熱性と実装信頼性の双方が格段に優れた接合層を形成することが可能な、導電接合材として用いるのに好適な導電性接着剤組成物が得られることを見出し、本発明を完成させるに至った。
【００１２】
すなわち、本発明の要旨構成は、以下のとおりである。
［１］  金属粒子（Ｐ）と、樹脂（Ｍ）と、下記一般式（１）で示される有機リン化合物（Ａ）とを含み、
前記金属粒子（Ｐ）が、銅、ニッケル、アルミニウムおよびスズの群から選択される１種の金属またはこれらの群から選択される２種以上を含有する合金からなる第１の金属粒子（Ｐ１）を含み、
前記樹脂（Ｍ）の少なくとも一部が、熱硬化性樹脂（Ｍ１）であり、
前記熱硬化性樹脂（Ｍ１）が、イミド基を１分子中に２単位以上有するマレイン酸イミド化合物を含む、導電性接着剤組成物。
【化１】
0005972490.tif 000002
ただし、上記一般式（１）においてＲは、それぞれ独立して、有機基を示し、Ｒは互いに同一であっても異なっていてもよい。また、ｘおよびｙは、ともに０〜３の整数であり
、かつ、ｘおよびｙの和（ｘ＋ｙ）は、３である。
［２］  前記一般式（１）においてＲは、それぞれ独立して、アルキル基、アリール基、官能基を有する有機基、ヘテロ原子を有する有機基、および不飽和結合を有する有機基から選択されるいずれかである、上記［１］に記載の導電性接着剤組成物。
［３］  前記一般式（１）においてＲは、それぞれ独立して、その一部にビニル基、アクリル基、メタアクリル基、マレイン酸エステル基、マレイン酸アミド基、マレイン酸イミド基、１級アミノ基、２級アミノ基、チオール基、ヒドロシリル基、ヒドロホウ素基、フェノール性水酸基およびエポキシ基から選択されるいずれか１種以上を有する、上記［１］または［２］に記載の導電性接着剤組成物。
［４］  前記有機リン化合物（Ａ）の数平均分子量が２６０以上である、上記［１］〜［３］のいずれか１項に記載の導電性接着剤組成物。
［５］  前記マレイン酸イミド化合物が、炭素数１０以上の脂肪族アミンに由来する骨格を含む、上記［１］〜［４］のいずれか１項に記載の導電性接着剤組成物。
［６］  前記マレイン酸イミド化合物の数平均分子量が３０００以上である、上記［１］〜［５］のいずれか１項に記載の導電性接着剤組成物。
［７］  前記金属粒子（Ｐ）が、前記第１の金属粒子（Ｐ１）と、該第１の金属粒子（Ｐ１）とは異なる金属成分系の第２の金属粒子（Ｐ２）とを含む混合物であり、
前記第１の金属粒子（Ｐ１）および前記第２の金属粒子（Ｐ２）が、互いに、金属間化合物を形成し得る金属成分を含む、上記［１］〜［６］のいずれか１項に記載の導電性接着剤組成物。
［８］  前記第２の金属粒子（Ｐ２）が、銅、ニッケル、アルミニウム、スズ、亜鉛、チタン、銀、金、インジウム、ビスマス、ガリウムおよびパラジウムの群から選択される１種の金属またはこれらの群から選択される２種以上を含有する合金からなる、上記［７］に記載の導電性接着剤組成物。
［９］  前記第１の金属粒子（Ｐ１）および前記第２の金属粒子（Ｐ２）の少なくとも一方が、２種以上の金属成分を含んでなる合金粒子である、上記［７］または［８］に記載の導電性接着剤組成物。
［１０］  ＤＳＣ（示差走査熱量測定）で観測される、１００〜２５０℃の温度範囲における吸熱ピークが、未焼結の状態では少なくとも１つ観測され、かつ焼結した状態では消失する、上記［１］〜［９］のいずれか１項に記載の導電性接着剤組成物。
［１１］  上記［１］〜［１０］のいずれか１項に記載の導電性接着剤組成物を基材上に膜状に成形してなる、導電性接着フィルム。
［１２］  上記［１１］に記載の導電性接着フィルムと、ダイシングテープとを貼り合せてなる、ダイシング・ダイボンディングフィルム。
【発明の効果】
【００１３】
本発明によれば、導電性接着剤組成物が金属粒子（Ｐ）と、所定の有機リン化合物（Ａ）とを含み、金属粒子（Ｐ）が、銅、ニッケル、アルミニウムおよびスズの群から選択される１種の金属またはこれらの群から選択される２種以上を含有する合金からなる第１の金属粒子（Ｐ１）を含むことによって、例えば半導体チップ（特にパワーデバイス）と、リードフレームの素子担持部上または絶縁基板の回路電極部との間に、鉛フリーで、しかも、接合・焼結後の耐熱性と実装信頼性の双方が格段に優れた接合層を形成することが可能な導電接合材として用いるのに好適な導電性接着剤組成物ならびにこれを用いた導電性接着フィルムおよびダイシング・ダイボンディングフィルムを提供することができる。
【図面の簡単な説明】
【００１４】
【図１】本発明の実施形態に係るダイシング・ダイボンディングフィルムの層構成を示す断面図である。
【図２】本発明のダイシング・ダイボンディングフィルムを半導体に貼合した状態を示す図である。
【図３】ダイシング工程を説明するための図である。
【図４】ピックアップ工程を説明するための図である。
【図５】ダイボンディング工程を説明するための図である。
【図６】樹脂モールドした半導体素子（装置）の断面を示す図である。
【発明を実施するための形態】
【００１５】
本発明に従う導電性接着剤組成物ならびにこれを用いた導電性接着フィルムおよびダイシング・ダイボンディングフィルムの実施形態について、以下で詳細に説明する。
【００１６】
＜導電性接着剤組成物＞
本実施形態に係る導電性接着剤組成物は、所定の金属粒子（Ｐ）と所定の有機リン化合物（Ａ）とを含む。また、導電性接着剤組成物は、さらに樹脂（Ｍ）を含有することが好ましく、必要に応じて、さらに各種添加剤を含有してもよい。
なお、ここでいう「金属粒子」とは、特に区別して記載しない限りは、単一の金属成分からなる金属粒子のことを意味するだけではなく、２種以上の金属成分からなる合金粒子のことも意味する。
【００１７】
［１］金属粒子（Ｐ）
本実施形態に係る導電性接着剤組成物において、金属粒子（Ｐ）は、銅（Ｃｕ）、ニッケル（Ｎｉ）、アルミニウム（Ａｌ）およびスズ（Ｓｎ）の群から選択される１種の金属またはこれらの群から選択される２種以上を含有する合金からなる第１の金属粒子（Ｐ１）を含む。このような第１の金属粒子（Ｐ１）は、導電性および熱伝導性に優れ、比較的安価で、イオンマイグレーションが起こりにくい点で、導電性接着剤組成物の金属粒子（Ｐ）として好適である。なお、金属粒子（Ｐ）は、第１の金属粒子（Ｐ１）のみからなるものであってもよいし、あるいは、第１の金属粒子（Ｐ１）に加えて、他の金属粒子を１種以上含む混合物であってもよい。
【００１８】
金属粒子（Ｐ）は、第１の金属粒子（Ｐ１）と、この第１の金属粒子（Ｐ１）とは異なる金属成分系の第２の金属粒子（Ｐ２）とを含む混合物であり、第１の金属粒子（Ｐ１）および第２の金属粒子（Ｐ２）は、互いに、金属間化合物を形成し得る金属成分を含むことが好ましい。第１の金属粒子（Ｐ１）と第２の金属粒子（Ｐ２）とが、互いに、金属間化合物を形成し得る金属を含んでいることにより、金属粒子（Ｐ）全体として、未焼結の状態では低融点の金属または合金でありながら、焼結後の状態では高融点の金属間化合物を形成することが可能になる。その結果、このような金属粒子によれば、実装温度の低温化を達成しつつ、焼結後は実装温度以上の温度でも性能が劣化することなく優れた耐熱性を発揮することが可能となる。
【００１９】
このような金属間化合物を形成し得る金属成分の組み合わせとしては、適宜選択できるが、例えば、Ｃｕ−Ｓｎ系、Ｎｉ−Ｓｎ系、Ａｇ−Ｓｎ系、Ｃｕ−Ｚｎ系、Ｎｉ−Ｚｎ系、Ｎｉ−Ｔｉ系、Ｓｎ−Ｔｉ系、Ａｌ−Ｔｉ系等の組合せが挙げられる。なお、これらの金属間化合物を形成し得る組み合わせに対応した各金属成分は、第１の金属粒子（Ｐ１）および第２の金属粒子（Ｐ２）のそれぞれに、組み合わせごとに各１種ずつ含まれていることが好ましい。また、実装温度をできるだけ低めに設定する必要がある場合には、低融点のＳｎを含む組合せが好ましく、特にＣｕーＳｎ系またはＮｉーＳｎ系の組み合わせがより好ましい。
【００２０】
また、第２の金属粒子（Ｐ２）は、第１の金属粒子（Ｐ１）とは異なる金属成分系をもち、かつ、第１の金属粒子（Ｐ１）とともに、互いに、金属間化合物を形成し得る金属成分を含んでいればよく、特には限定されないが、好ましくは、銅（Ｃｕ）、ニッケル（Ｎｉ）、アルミニウム（Ａｌ）、スズ（Ｓｎ）、亜鉛（Ｚｎ）、チタン（Ｔｉ）、銀（Ａｇ）、金（Ａｕ）、インジウム（Ｉｎ）、ビスマス（Ｂｉ）、ガリウム（Ｇａ）およびパラジウム（Ｐｄ）の群から選択される１種の金属またはこれらの群から選択される２種以上を含有する合金からなっている。具体的には、例えば、第１の金属粒子（Ｐ１）がＣｕ粒子である場合には、第２の金属粒子（Ｐ２）は、Ｃｕとともに金属間化合物を形成し得る金属粒子、例えばＳｎ粒子またはＳｎを含有する合金粒子であることが好ましい。
【００２１】
また、第１の金属粒子（Ｐ１）および第２の金属粒子（Ｐ２）の少なくとも一方は、２種以上の金属成分を含んでなる合金粒子であることが好ましい。第１の金属粒子（Ｐ１）および第２の金属粒子（Ｐ２）の少なくとも一方が合金粒子であることにより、全体としての金属粒子（Ｐ）をさらに低融点化できる。このような合金粒子としては、例えば、銅（Ｃｕ）、ニッケル（Ｎｉ）、アルミニウム（Ａｌ）、スズ（Ｓｎ）、亜鉛（Ｚｎ）、チタン（Ｔｉ）、銀（Ａｇ）、金（Ａｕ）、インジウム（Ｉｎ）、ビスマス（Ｂｉ）、ガリウム（Ｇａ）およびパラジウム（Ｐｄ）から選択される少なくとも２種を含有する合金であることが好ましい。具体的には、このような合金粒子としては、Ｓｎ等に、ＺｎやＢｉ、Ａｇ、Ｉｎ、Ｇａ、Ｐｄ等を加えて、予め合金化して粒子化したものが挙げられる。
【００２２】
金属粒子（Ｐ）１００質量％における、第１の金属粒子（Ｐ１）の含有量は、好ましくは１０〜１００質量％であり、より好ましくは３０〜８０質量％である。また、金属粒子（Ｐ）１００質量％における、第２の金属粒子（Ｐ２）の含有量は、好ましくは０〜９０質量％であり、より好ましくは２０〜７０質量％である。なお、金属粒子（Ｐ）は、第１の金属粒子（Ｐ１）および第２の金属粒子（Ｐ２）に加え、必要に応じて、単一金属または合金からなるその他の金属粒子（Ｐｎ）をさらに１種以上含んでいてもよく、その含有量は、金属粒子（Ｐ）１００質量％中に、好ましくは５０質量％以下である。
【００２３】
なお、金属粒子（Ｐ）は、環境負荷低減の観点から、Ｐｂ（鉛）、Ｈｇ（水銀）、Ａｂ（アンチモン）およびＡｓ（ヒ素）を実質的に含有しないことが好ましい。なお、これらの成分の含有量は、金属粒子（Ｐ）１００質量％中に、合計して０．１質量％未満であることが好ましい。
【００２４】
また、金属粒子（Ｐ）の形状は、特に限定されるものではなく、球状粒子やデンドリック状粒子、鱗片状、スパイク状等を適宜用いることができる。また、金属粒子（Ｐ）の粒子径も特に限定されないが、平均粒子径（Ｄ５０）が、２０μｍ以下であることが好ましい。金属粒子（Ｐ）の粒子径を、上記範囲とすることにより、導電性接着フィルムを比較的薄膜（例えば、４０μｍ以下）に形成できる。また、第１の金属粒子（Ｐ１）と第２の金属粒子（Ｐ２）とを用いる場合には、例えば、第１金属粒子（Ｐ１）は、平均粒子径（Ｄ５０）が２０μｍ以下であり、第２金属粒子（Ｐ２）は、平均粒子径（Ｄ５０）が７μｍ未満であることがより好ましい。なお、本発明において平均粒子径（Ｄ５０）は、レーザー回折散乱式粒度分布測定法による測定に基づいて算出された値とする。なお、平均粒子径（ｄ５０）の測定条件は、後述する実施例の項で説明する。
【００２５】
本実施形態に係る導電性接着剤組成物における金属粒子（Ｐ）の含有量は、好ましくは７０〜９６質量％であり、より好ましくは８０〜９４質量％である。上記範囲とすることにより、導電性接着フィルムを成形する際の成形性がよくなるとともに、フィルムとしての取り扱い性も良好で、さらに、接着・焼結後には、優れた導電性を発揮し得る。
【００２６】
［２］有機リン化合物（Ａ）
本実施形態に係る導電性接着剤組成物において、有機リン化合物（Ａ）は、下記一般式（１）で示されるものである。
【００２７】
【化２】
0005972490.tif 000003
ただし、上記一般式（１）においてＲは、それぞれ独立して、有機基を示し、Ｒは互いに同一であっても異なっていてもよい。また、ｘおよびｙは、それぞれ０〜３の整数であり、かつ、ｘおよびｙの和（ｘ＋ｙ）は、３である。例えば、一般式（１）において、ｘ＝３、ｙ＝０のときは、有機ホスフィン類を、ｘ＝０、ｙ＝３のときは、亜リン酸有機エステルをそれぞれ示す。
【００２８】
上記一般式（１）で示される有機リン化合物（Ａ）は、本実施形態に係る導電性接着剤組成物において、金属粒子（Ｐ）表面の酸化膜を除去する働きを助ける、フラックスとしての機能を有し、特に、Ｃｕ、Ｓｎ、ＮｉおよびＡｌのような酸化しやすい金属成分に対して、より効果的に作用する。また、上記有機リン化合物（Ａ）は、従来一般的に用いられてきたカルボン酸やアルコール等のフラックスに比べて、極めて吸湿し難く、耐吸湿性に優れている。
【００２９】
具体的には、有機リン化合物（Ａ）としては、アルキルホスフィン、アリールホスフィンおよび亜リン酸有機エステルから選択される化合物であることが好ましい。
【００３０】
上記一般式（１）において、Ｒは、それぞれ独立して、アルキル基、アリール基、官能基を有する有機基、ヘテロ原子を有する有機基、および不飽和結合を有する有機基から選択されるいずれかであることが好ましい。
【００３１】
上記アルキル基は、直鎖状、分岐状及び環状のいずれであってもよく、置換基を有していてもよい。アルキル基は、直鎖状又は分岐状であることが好ましい。また、上記アルキル基は、炭素数が３以上であることが好ましく、炭素数が４〜１８であることがより好ましく、炭素数が６〜１５であることが更に好ましい。このようなアルキル基としては、具体的には、プロピル基、ブチル基、ペンチル基、ヘキシル基、ヘプチル基、オクチル基、ノニル基、デシル基、ステアリル基およびイソステアリル基等が挙げられる。
【００３２】
上記アリール基は、置換基を有していてもよく、炭素数が６〜１０であることが好ましい。このようなアリール基としては、例えば、フェニル基、トリル基、キシリル基、クメニル基、１−ナフチル基等が挙げられる。
【００３３】
上記官能基を有する有機基は、炭素数が１〜１０であることが好ましく、炭素数が１〜６であることがより好ましく、炭素数が１〜３であることが更に好ましい。また、上記有機基が有する官能基としては、クロロ基、ブロモ基、フルオロ基等が挙げられる。また、このような官能基を有する有機基としては、具体的には、クロロエチル基、フルオロエチル基、クロロプロピル基、ジクロロプロピル基、フルオロプロピル基、ジフルオロプロピル基、クロロフェニル基およびフルオロフェニル基等が挙げられる。
【００３４】
上記ヘテロ原子を有する有機基は、炭素数が３以上であることが好ましく、炭素数が４〜１８であることがより好ましく、炭素数が６〜１５であることが更に好ましい。また、上記有機基が有するヘテロ原子としては、窒素原子、酸素原子、硫黄原子等が挙げられる。また、このようなヘテロ原子を有する有機基としては、具体的には、ジメチルアミノ基、ジエチルアミノ基、ジフェニルアミノ基、メチルスルホキシド基、エチルスルホキシド基およびフェニルスルホキシド基等が挙げられる。
【００３５】
上記不飽和結合を有する有機基は、炭素数が３以上であることが好ましく、炭素数が４〜１８であることがより好ましく、炭素数が６〜１５であることが更に好ましい。このような不飽和結合を有する有機基としては、具体的には、プロペニル基、プロピニル基、ブテニル基、ブチニル基、オレイル基、フェニル基、ビニルフェニル基およびアルキルフェニル基等が挙げられる。中でも、ビニルフェニル基を有することがより好ましい。
【００３６】
また、上記一般式（１）において、Ｒは、それぞれ独立して、その一部にビニル基、アクリル基、メタアクリル基、マレイン酸エステル基、マレイン酸アミド基、マレイン酸イミド基、１級アミノ基、２級アミノ基、チオール基、ヒドロシリル基、ヒドロホウ素基、フェノール性水酸基およびエポキシ基から選択されるいずれか１種以上を有することが好ましい。中でも、ビニル基やアクリル基、メタアクリル基、２級アミノ基を有することがより好ましい。
【００３７】
具体的には、有機リン化合物（Ａ）は、有機ホスフィン類であるｐ−スチリルジフェニルホスフィンを含むことがより好ましい。このような化合物は、反応性の高いビニル基を有する事で低ブリードアウトである点で好適である。
【００３８】
また、このような有機リン化合物（Ａ）は、後述する熱硬化性樹脂（Ｍ１）がマレイミド樹脂を含む場合に、マレイミド樹脂と共重合体を形成し得るため、熱硬化性樹脂成分としても作用する。また、上記有機リン化合物（Ａ）は、吸湿しにくく、分子量が十分に大きく、かつ重合性であるため、フラックス成分として用いた場合にブリードアウトを有効に防止できる。したがって、吸湿しやすいアルコールやカルボン酸に替えて、このような有機リン化合物（Ａ）を用いることにより、フラックス洗浄を経なくても、ブリードアウトのリスクを低減でき、十分な信頼性、特に吸湿後の耐リフロー性を担保できる。
【００３９】
また、焼結時等のブリードアウトを抑制する点で、有機リン化合物（Ａ）の数平均分子量は、２６０以上であることが好ましい。また、有機リン化合物（Ａ）の数平均分子量を２６０以上とすると共に、上述のようにマレイミド樹脂と反応させて硬化させることにより、ブリードアウトを更に低減できる。その結果、ブリードアウトによる基板（リードフレーム等）の表面汚染を防止でき、パッケージ信頼性を向上できる。
【００４０】
本実施形態に係る導電性接着剤組成物における有機リン化合物（Ａ）の含有量は、好ましくは０．５〜１０．０質量％であり、より好ましくは１．０〜５．０質量％である。上記範囲とすることにより、金属酸化膜の除去能が十分に発揮される。なお、有機リン化合物（Ａ）は、１種のみで用いてもよいし、２種以上を組み合わせてもよい。
【００４１】
［３］樹脂（Ｍ）
本実施形態に係る導電性接着剤組成物は、上記金属粒子（Ｐ）と、上記有機リン化合物（Ａ）と、さらに樹脂（Ｍ）とを含み、この樹脂（Ｍ）の少なくとも一部は、熱硬化性樹脂（Ｍ１）であることが好ましい。導電性接着剤組成物が、熱硬化性樹脂（Ｍ１）を含むことにより、未焼結の状態では、フィルム性（成形のしやすさ、取り扱いやすさ等）に寄与し、焼結後の状態では、熱サイクルによって、半導体素子と基材（リードフレーム等）との間に生じる応力等を緩和する役割を果たす。
【００４２】
熱硬化性樹脂（Ｍ１）は、特に、耐熱性と金属粒子（Ｐ）を混ぜた際のフィルム性の観点から、イミド基を１分子中に２単位以上含むマレイン酸イミド化合物を含むことが好ましい。このようなイミド基を１分子中に２単位以上含むマレイン酸イミド化合物を含む樹脂としては、マレイン酸イミド樹脂（以下、「マレイミド樹脂」ということがある。）が挙げられる。特に、上記マレイン酸イミド樹脂を含有する熱硬化性樹脂（Ｍ１）は応力緩和性に優れるため、焼結後の導電性接着剤組成物において、耐熱疲労特性を向上できる。その結果、このような熱硬化性樹脂（Ｍ１）を含む導電性接着剤組成物によれば、従来の金属のみの鉛フリーはんだの問題点であった、硬くて脆いという耐熱疲労特性の欠点を克服できる。
【００４３】
マレイン酸イミド樹脂としては、例えば、マレイン酸またはその無水物と、ジアミンまたはポリアミンとを縮合すること等により得られる。また、マレイン酸イミド樹脂は、炭素数１０以上の脂肪族アミンに由来する骨格を含むものが、応力緩和性の観点から好ましく、特に、炭素数３０以上であり、下記構造式（２）のような骨格を有するものがより好ましい。また、マレイン酸イミド化合物は、数平均分子量が３０００以上のものであることが好ましい。
【００４４】
【化３】
0005972490.tif 000004
【００４５】
マレイン酸イミド樹脂には、マレイン酸以外の酸成分、例えば、ベンゼンテトラカルボン酸またはその無水物、ヒドロキシフタル酸ビスエーテルまたはその無水物等に由来する骨格を含むことにより、分子量やガラス転移温度Ｔｇなどを調整しても良い。また、マレイン酸イミド樹脂の硬化剤としては、フェノールノボラック樹脂やラジカル発生剤等が好ましい。
【００４６】
また、このようなマレイン酸イミド樹脂としては、例えば、下記構造式（３）〜（５）に示されるビスマレイミド樹脂等が好適に用いられる。
【００４７】
【化４】
0005972490.tif 000005
【００４８】
但し、上記式（４）において、ｎは、１〜１０の整数である。また、上記式（３）〜（５）において、「Ｘ」の部分は、下記構造式（６）で表される「Ｃ３６Ｈ７２」ある。なお、下記式（６）において、「＊」はＮとの結合部位を意味する。
【化５】
0005972490.tif 000006
【００４９】
本実施形態に係る導電性接着剤組成物における樹脂（Ｍ）の含有量は、好ましくは４〜３０質量％であり、より好ましくは６〜２０質量％である。上記範囲とすることにより、未焼結の状態では、フィルム性（成形のしやすさ、取り扱いやすさ等）に優れ、焼結した状態では、熱サイクルによって、半導体素子と基材（リードフレーム等）との間に生じる応力等の緩和性に優れる。なお、樹脂（Ｍ）は、１種の樹脂のみからなるものであってもよいし、２種以上の樹脂を混合したものであってもよい。また、必要に応じて上記以外の樹脂をさらに含有してもよい。
【００５０】
（４）その他の成分
本実施形態に係る導電性接着剤組成物は、上記成分の他に、本発明の目的を外れない範囲で、各種添加剤を含んでいてもよい。このような添加剤としては、必要に応じて適宜選択できるが、例えば、溶剤、分散剤、ラジカル重合開始剤、レベリング剤、可塑剤等が挙げられる。
【００５１】
本実施形態に係る導電性接着剤組成物は、上記各成分を適量秤量し、公知の方法により混合することにより、得られる。このような混合方法としては、例えば、回転翼による撹拌混合、ホモジナイザーによる混合、プラネタリーミキサーによる混合およびニーダーによる混合等が挙げられる。
【００５２】
また、本実施形態に係る導電性接着剤組成物は、ＤＳＣ（示差走査熱量測定）による分析を行った場合に、１００〜２５０℃の温度範囲における吸熱ピークが、焼結を行う前の状態（未焼結状態）では少なくとも１つ観測され、かつ焼結を行った後の状態（焼結状態）では消失することが好ましい。なお、ＤＳＣによる分析方法は、後述する実施例の項で説明する。
【００５３】
未焼結状態で、上記温度範囲にて観測される少なくとも１つの吸熱ピークは、少なくとも１種の金属成分を含む金属また合金の融点を意味する。すなわち、未焼結の導電性接着剤組成物を、上記温度範囲で加熱（焼結）する際に、特定の金属成分が溶融し、被着体表面にその成分が濡れ広がり、低温での実装に有利に働くことを示している。一方で、焼結状態では、上記温度範囲にて吸熱ピークは観測されないが、これは、上記温度範囲に少なくとも１種の金属成分を含む金属または合金の金属成分（または合金）の融点がないことを意味している。すなわち、一度溶融した金属が、金属間の拡散反応により、焼結後に高融点をもつ金属間化合物を形成し、その結果、優れた耐熱性を有することができることを示している。
【００５４】
このような導電性接着剤組成物は、低温での焼結（実装）が可能でありながら、焼結後（実装後）は、優れた耐熱性を発揮し、高融点鉛フリーはんだでワイヤーボンドしたり、リフロー処理を施たりしても不具合を生じることがない。なお、上記導電性接着剤組成物の耐熱温度は、好ましくは２５０℃以上、更に好ましくは３００℃以上である。また、上記導電性接着剤組成物を用いた実装に適した、実装温度は好ましくは１００〜２５０℃であり、更に好ましくは１００〜２００℃である。
【００５５】
＜導電性接着フィルム＞
本実施形態に係る導電性接着剤組成物は、基材上に膜状に成形し、導電性接着フィルムとして用いることが好ましい。導電性接着剤組成物をフィルム化することにより、例えば、パワー半導体素子を基板に接続する際に、従来のはんだや導電ペーストよりも取り扱いが容易になる。具体的には、本実施形態に係る、導電性接着フィルムは、パワー半導体が形成されたウェハの裏面に貼り付けて、ウェハを素子毎に分割・チップ化する際（ダイシング工程）に、ウェハごと分割することが可能となる。そのため、素子（ウェハ）の裏面全体に、過不足なく導電性接着フィルムを形成できることから、従来のはんだの濡れ性やはみ出し等の問題を生じることなく、良好な実装が可能となる。また、予め所定の厚さに導電性接着フィルムを形成できるため、従来のはんだや導電ペーストに比べて、ダイボンド後の素子の高さ制御を精度よく、容易に行うことができる。
【００５６】
本実施形態の導電性接着フィルムは、好ましくは、本実施形態の導電性接着剤組成物を基材上に膜状に成形してなる。成形方法は、特に限定されるものではなく、公知の方法により行うことができる。例えば、導電性接着剤組成物を溶媒に溶解・分散させたワニスを基材上に塗布した後乾燥させる方法、導電性接着剤組成物を高温下で溶融した後基材に塗布する溶融塗布法、導電性接着剤組成物を基材とともに高圧にてプレスする方法、導電性接着剤組成物を溶融した後押出し機を用いて押出した後に延伸する押出し法、上記ワニスをスクリーンメッシュ（スクリーン印刷）や金属版（グラビア印刷）に充填して転写する印刷法等が挙げられる。
【００５７】
導電性接着フィルムの厚さは、５〜１００μｍが好ましく、２０〜５０μｍがより好ましい。導電性接着フィルムの厚さを上記範囲とすることにより、電気抵抗および熱抵抗を抑制しつつ、十分な接着力を得ることが可能となる。
【００５８】
また、導電性接着フィルムの焼結後の貯蔵弾性率は、１Ｈｚにおいて、１０００〜３００００ＭＰａが好ましく、５０００〜２００００ＭＰａがより好ましい。導電性接着フィルムの弾性率を上記範囲とすることにより、強固な接着力を発揮しつつ、冷熱衝撃試験（ＴＣＴ）にて評価される耐熱疲労性において、優れた性能を発揮することが可能となる。
【００５９】
また、導電性接着フィルムは、窒素雰囲気下、２５０℃で２時間加熱したときの加熱重量減少率が、１％未満であることが好ましい。加熱重量減少率を上記範囲とすることにより、導電性接着フィルムを焼結した際に、主に樹脂が熱分解しないため、優れた柔軟性を維持できる。
【００６０】
更に、本実施形態に係る導電性接着フィルムは、ダイシングテープと貼り合わせてダイシング・ダイボンディングフィルムとすることで、導電性接着フィルムとダイシングテープとを一度にウェハに貼合でき、工程を省略化できる。
【００６１】
上記した実施態様について、図面に基づいて説明する。
図１は、本発明にかかるダイシング・ダイボンディングフィルム１０を示す断面図である。ダイシング・ダイボンディングフィルム１０は、主にダイシングテープ１２、導電性接着フィルム１３から構成されている。ダイシング・ダイボンディングフィルム１０は、半導体加工用テープの一例であり、使用工程や装置にあわせて予め所定形状に切断（プリカット）されていてもよいし、半導体ウェハ１枚分ごとに切断されていてもよいし、長尺のロール状を呈していてもよい。
【００６２】
ダイシングテープ１２は、支持基材１２ａと、その上に形成された粘着剤層１２ｂとから構成されている。
剥離処理ＰＥＴフィルム１１は、ダイシングテープ１２を覆っており、粘着剤層１２ｂや導電性接着フィルム１３を保護している。
【００６３】
支持基材１２ａとしては、放射線透過性であることが好ましく、具体的には、通常、プラスチック、ゴムなどを用い、放射線を透過する限りにおいて特に制限されるものではない。
【００６４】
粘着剤層１２ｂの粘着剤のベース樹脂組成物は、特に限定されるものではなく、通常の放射線硬化性粘着剤が用いられる。好ましくは水酸基などのイソシアネート基と反応しうる官能基を有するアクリル系粘着剤がある。特に制限されるものではないが、アクリル系粘着剤はヨウ素価３０以下であり、放射線硬化性炭素−炭素二重結合構造を有するのが好ましい。
【００６５】
本実施形態に係る導電性接着フィルム１３の構成としては、上述した通り、所定の金属粒子（Ｐ）と、所定の有機リン化合物（Ａ）とを含む導電性接着フィルムであることが、半導体パワー素子を金属リードフレームに接合する際、耐熱性と実装信頼性に優れ、かつ環境への負荷の小さい点で非常に好ましい。
【００６６】
（ダイシング・ダイボンディングフィルムの使用方法）
半導体装置の製造にあたり、本実施形態のダイシング・ダイボンディングフィルム１０を好適に使用することができる。
【００６７】
まず、ダイシング・ダイボンディングフィルム１０から剥離処理ＰＥＴフィルム１１を取り除き、図２に示す通り、半導体ウェハ１に導電性接着フィルム１３を貼り付けてダイシングテープ１２の側部をリングフレーム２０で固定する。リングフレーム２０はダイシング用フレームの一例である。導電性接着フィルム１３はダイシングテープ１２の半導体ウェハ１が貼合される部位に積層されている。ダイシングテープ１２のリングフレーム２０と接する部位には導電性接着フィルム１３はない。
【００６８】
その後、図３に示す通り、ダイシングテープ１２の下面を吸着ステージ２２で吸着・固定しながら、ダイシングブレード２１を用いて半導体ウェハ１を所定サイズにダイシングし、複数の半導体チップ２を製造する。
【００６９】
その後、図４に示す通り、リングフレーム２０によりダイシングテープ１２を固定した状態で、テープ突き上げリング３０を上昇させ、ダイシングテープ１２の中央部を上方に撓ませるとともに、紫外線などの放射線をダイシングテープ１２に照射し、ダイシングテープ１２を構成する接着剤層１２ｂの粘着力を弱める。その後、半導体チップごとにこれに対応した位置で突き上げピン３１を上昇させ、半導体チップ２を吸着コレット３２によりピックアップする。
【００７０】
その後は、図５に示す通り、ピックアップした半導体チップ２を、リードフレーム４などの支持部材や他の半導体チップ２に接着（ダイボンディング工程）し、導電性接着フィルムを焼結させる。
【００７１】
その後、図６に示す通り、Ａｌワイヤの付設や樹脂モールド等の工程を経ることにより、半導体装置が得られる。
【００７２】
以上、本発明の実施形態について説明したが、本発明は上記実施形態に限定されるものではなく、本発明の概念および特許請求の範囲に含まれるあらゆる態様を含み、本発明の範囲内で種々に改変することができる。
【実施例】
【００７３】
以下、本発明を実施例に基づきさらに詳細に説明するが、本発明はそれらに限定されるものではない。
【００７４】
＜原料＞
以下に、使用した原料の略称を示す。
［金属粒子（Ｐ）］
第１の金属粒子（Ｐ１）と、第２の金属粒子（Ｐ２）を、質量比２：１で混合した混合物。
・第１の金属粒子（Ｐ１）
Ｃｕ粒子：微粒銅粉、三井金属鉱業株式会社製、平均粒子径（Ｄ５０）は５μｍである。
・第２の金属粒子（Ｐ２）
ＳｎＢｉ合金粒子：微粒はんだ粉（Ｓｎ７２Ｂｉ２８）、三井金属鉱業株式会社製、平均粒子径（Ｄ５０）は７μｍである。
【００７５】
なお、上記金属粒子の平均粒子径（Ｄ５０）は、レーザー回折計（株式会社島津製作所製、：ＳＡＬＤ−３１００）で測定した。
【００７６】
［樹脂（Ｍ）］
・マレイミド樹脂
ＢＭＩ−３０００および重合開始剤としてパーブチル（登録商標）Ｏを、質量比１００：５で混合した混合物。
ＢＭＩ−３０００：ＤＥＳＩＧＮＥＲ  ＭＯＬＥＣＵＬＥＳ  ＩＮＣ製、数平均分子量３０００、下記構造式（７）で表されるビスマレイミド樹脂。下記式（７）中、ｎは１〜１０の整数である。なお、脂肪族アミンに由来する骨格は、炭素数３６である。
【化６】
0005972490.tif 000007
パーブチル（登録商標）Ｏ：日本油脂株式会社製、ｔ−ブチル  パーオキシー２−エチルヘキサネート。
【００７７】
・エポキシ樹脂
ＹＤ−１２８、ＹＤ−０１３、ＹＰ−５０および２ＰＨＺを、質量比１５：５：１０：１で混合した混合物。
ＹＤ−１２８：新日鉄住金化学株式会社製、ビスフェノールＡ型液状エポキシ樹脂。
ＹＤ−０１３：新日鉄住金化学株式会社製、ビスフェノールＡ型固形エポキシ樹脂。
ＹＰ−５０：新日鉄住金化学株式会社製、フェノキシ樹脂。
２ＰＨＺ：四国化成工業株式会社製、２−フェニル−４，５−ジヒドロキシメチルイミダゾール。
【００７８】
［フラックス］
・亜リン酸有機エステル
ＪＰ−３５１：城北化学工業株式会社製、トリスノニルフェニルホスファイト。
・有機ホスフィン類１
ＤＰＰＳＴ（登録商標）：北興化学工業株式会社製、ジフェニルホスフィノスチレン。
・有機ホスフィン類２
ＤＰＰＰ（登録商標）：北興化学工業株式会社製、１，４−ビス（ジフェニルホスフィノ）プロパン。
・有機ホスフィン類３
ＤＰＰＢ（登録商標）：北興化学工業株式会社製、１，４−ビス（ジフェニルホスフィノ）ブタン。
【００７９】
・テトラエチレングリコール：東京化成工業株式会社製
・アビエチン酸：東京化成工業株式会社製
【００８０】
［ダイシングテープ］
・乾燥後の粘着剤組成物の厚さが５μｍとなるように、支持基材上に粘着剤組成物を塗工し、１２０℃で３分間乾燥させて得た。
粘着剤組成物：ｎ−オクチルアクリレート（大阪有機化学工業株式会社製）、２−ヒドロキシエチルアクリレート（大阪有機化学工業株式会社製）、メタクリル酸（東京化成工業株式会社製）および重合開始剤としてベンゾイルペルオキシド（東京化成工業株式会社製）を、重量比２００：１０：５：２で混合した混合物を、適量のトルエン中に分散し、反応温度および反応時間を調整し、官能基を持つアクリル樹脂の溶液を得た。次に、このアクリル樹脂溶液１００重量部に対し、ポリイソシアネートとしてコロネートＬ（東ソー株式会社製）を２重量部追加し、さらに追加溶媒として適量のトルエンを加えて攪拌し、粘着剤組成物を得た。
支持基材：低密度ポリエチレンよりなる樹脂ビーズ（日本ポリエチレン株式会社製  ノバテックＬＬ）を１４０℃で溶融し、押し出し機を用いて、厚さ１００μｍの長尺フィルム状に成形して得た。
【００８１】
＜導電性接着剤組成物の調製＞
（実施例１〜４）
実施例１〜４では、上記材料のうち表１に示す材料を、金属粒子（Ｐ）９３．７質量％、樹脂（Ｍ）４．５質量％、およびフラックス１．８質量％の比率となるように混合し、導電性接着剤組成物を得た。
【００８２】
（比較例１および２）
比較例１および２では、上記材料のうち表１に示す材料を、金属粒子（Ｐ）８５質量％、樹脂（Ｍ）８質量％、およびフラックス７質量％の比率となるように混合し、導電性接着剤組成物を得た。
【００８３】
＜導電性接着フィルムの作製＞
次に、上記実施例および比較例で作製した各導電性接着剤組成物を、トルエンを溶剤としてスラリー化し、プラネタリーミキサーにて撹拌後、離型処理されたＰＥＴフィルム上に薄く塗布して、１２０℃で２分間乾燥し、厚さ４０μｍの導電性接着フィルムを得た。
【００８４】
＜ダイシング・ダイボンディングフィルムの作製＞
上記のようにして得られた、上記実施例および比較例に係る導電性接着フィルムを、ダイシングテープと貼り合わせて、ダイシング・ダイボンディングフィルム（導電性接着フィルム／粘着剤組成物／支持基材）を得た。
【００８５】
＜評価＞
上記のようにして得られた、上記実施例および比較例に係るダイシング・ダイボンディングフィルムを用いて、下記に示す特性評価を行った。各特性の評価条件は下記の通りである。結果を表１に示す。
【００８６】
［ＰＫＧ剥離の有無（耐吸湿性）］
上記本実施例および比較例に係るダイシング・ダイボンディングフィルムを、裏面がＡｕメッキされたＳｉウェハの表面に１００℃で貼合した後、５ｍｍ角にダイシングして、個片化したチップ（Ａｕメッキ／Ｓｉウエハ／導電性接着フィルム）を得た。このチップを、Ａｇメッキされた金属リードフレーム上に、１４０℃でダイボンディングした後、２３０℃で３時間焼結し、チップを覆うようにエポキシ系のモールド樹脂（京セラケミカル株式会社製、ＫＥ−Ｇ３００）にて封止して、測定用サンプルを得た。
得られた測定用サンプルについて、ＪＥＤＥＣ  Ｊ−ＳＴＤ−０２０Ｄ１に定める吸湿後リフロー試験（鉛フリーはんだ準拠）のＭＳＬ−Ｌｖ１〜３を下記の条件で、それぞれ行った。その後、超音波画像装置（株式会社日立パワーソリューション製、ＦｉｎｅＳＡＴ）にて内部に剥離が生じていないかを観察した。本実施例では、少なくともＭＳＬ−Ｌｖ３でＰＫＧ剥離がない場合を合格とした。
（吸湿条件）
・ＭＳＬ−Ｌｖ１は、８５℃、８５％ＲＨにて１６８時間である。
・ＭＳＬ−Ｌｖ２は、８５℃、６０％ＲＨにて１６８時間である。
・ＭＳＬ−Ｌｖ３は、３０℃、６０％ＲＨにて１９２時間である。
（リフロー  等級温度）
・ＭＳＬ−Ｌｖ１〜３は、いずれも２６０℃である。
【００８７】
［せん断接着力（接着性・耐熱性）］
上記本実施例および比較例に係るダイシング・ダイボンディングフィルムを、裏面がＡｕメッキされたＳｉウェハの表面に１００℃で貼合した後、５ｍｍ角にダイシングして、個片化したチップ（Ａｕメッキ／Ｓｉウエハ／導電性接着フィルム）を得た。このチップを、Ａｇメッキされた金属リードフレーム上に、１４０℃でダイボンディングした後、２３０℃で３時間焼結して、測定用サンプルを得た。
得られた測定用サンプルについて、冷熱衝撃試験（以下、「ＴＣＴ」という。）の前後における、導電性接着フィルムのせん断接着力を測定した。
（ＴＣＴ前の接着力）
得られた測定サンプルについて、ダイシェアー測定機（ノードソン・アドバンスト・テクノロジー株式会社製  万能型ボンドテスタ  シリーズ４０００）を用い、ボンドテスタの引っ掻きツールを上記測定サンプルの半導体チップの側面に１００μｍ／ｓで衝突させて、チップ／リードフレーム接合が破壊した際の応力を、２６０℃におけるせん断接着力として測定した。本実施例では、ＴＣＴ前のせん断接着力は、１０ＭＰａ以上を合格レベルとした。
（ＴＣＴ後の接着力）
次に、冷熱衝撃試験（ＴＣＴ）として、得られた測定用サンプルを、−４０〜＋１５０℃の温度範囲で２００サイクル処理し、この処理後のサンプルについて、上記ＴＣＴ前の接着力と同様の方法でせん断接着力を測定した。本実施例では、ＴＣＴ後のせん断接着力は、１０ＭＰａ以上を合格レベルとした。
【００８８】
［ＤＳＣ測定での吸収ピーク］
上記本実施例および比較例に係るダイシング・ダイボンディングフィルムの導電性接着フィルムについて、焼結前後における、熱特性を評価した。
（未焼結の状態での吸収ピーク）
上記各ダイシング・ダイボンディングフィルムから導電性接着フィルムを採取し、１０ｍｇ秤量し、専用のアルミニウムパンに密封して測定用サンプルを準備した。測定は、高感度型示差走査熱量計（株式会社日立ハイテクサイエンス製、ＤＳＣ７０００Ｘ）を用いて、窒素雰囲気下（窒素流量２０ｍＬ／分）、室温〜３５０℃の範囲で、昇温速度５℃／分にて行った。得られたＤＳＣチャートにより、２００〜２５０℃の温度領域における吸熱ピークの有無を確認した。
（焼結後の状態での吸収ピーク）
上記各ダイシング・ダイボンディングフィルムを、窒素雰囲気下、２５０℃にて、４時間焼結して、焼結後のダイシング・ダイボンディングフィルムから、導電性接着フィルムを採取した以外は、上記未焼結の状態での吸収ピークと同様の方法にて、評価を行った。
【００８９】
［体積抵抗率（導電性）］
上記本実施例および比較例に係る導電性接着フィルムをテフロン（登録商標）シート上に載せて、２３０℃で３時間焼結し、測定用サンプルを得た。次に、この測定用サンプルについて、ＪＩＳ−Ｋ７１９４―１９９４に準拠して、四探針法により抵抗値を測定し、体積抵抗率を算出した。抵抗値の測定には、株式会社三菱化学アナリテック製ロレスターＧＸを用いた。なお、体積抵抗率は、その逆数が導電率であり、体積抵抗率は小さいほど導電性に優れていることを意味している。
【００９０】
【表１】
0005972490.tif 000008
【００９１】
上記結果から、実施例１〜４に係る導電性接着剤組成物は、特定の金属粒子（Ｐ）と、特定の有機リン化合物（Ａ）を含有しているため、導電性接着フィルムとして用いた場合に、接合・焼結後の耐熱性および実装信頼性を併せ持つ、従来技術にない顕著な効果を奏することが確認された。
【００９２】
一方、比較例１および２に係る導電性接着剤組成物は、本発明で特定している所定の有機リン化合物（Ａ）を含有していないため、本発明に係る実施例１〜４と比較して、導電性接着フィルムとして用いた場合に、接合・焼結後の耐熱性および実装信頼性のいずれもが劣っていた。具体的には、比較例１および２では、耐吸湿試験において、ＭＳＬ−Ｌｖ３でもＰＫＧ剥離が生じており、特に耐吸湿性が劣ることが確認された。また、ＴＣＴ後については、せん断接着力が著しく低下しており、耐熱衝撃性にも劣ることが確認された。
【００９３】
なお、比較例１は、体積抵抗率が実施例１および３よりも低く、一見すると導電性に優れているように見える。しかし、比較例１は、ＭＳＬ−Ｌｖ３の耐吸湿試験で既に剥離が生じており、この状態では抵抗値は無限大となるため、実用的な観点からは導電性に優れているとはいえない。また、比較例１は、ＴＣＴ後の接着力も著しく劣っている。
すなわち、実用性の観点からは、実施例１および３のように、それ自体の導電率が多少低くても、耐熱性および耐吸湿性に優れ、安定した導通が図れる、実装信頼性の高い導電性接着フィルムの方が望ましいと言える。
【符号の説明】
【００９４】
１：半導体ウェハ
１ａ：裏面Ａｕメッキ層
２：半導体チップ
４：金属リードフレーム
４ａ：Ａｇメッキ層
５：モールド樹脂
６：Ａｌワイヤ
１０：ダイシング・ダイボンディングフィルム
１１：剥離処理ＰＥＴフィルム
１２：ダイシングテープ
１２ａ：支持基材
１２ｂ：粘着剤層
１３：導電性接着フィルム
２０：リングフレーム
２１：ダイシングブレード
２２：吸着ステージ
３０：テープ突き上げリング
３１：突き上げピン
３２：吸着コレット
【要約】
【課題】例えば半導体チップ（特にパワーデバイス）をリードフレームの素子担持部上または絶縁基板の回路電極部上に接合する際の導電接合材として好適に用いられ、鉛フリーを達成しつつ、特に接合・焼結後の耐熱性と実装信頼性の双方に優れた接合層を、半導体チップとリードフレームの素子担持部上または絶縁基板の回路電極部間に形成することが可能な導電性接着剤組成物ならびにこれを用いた導電性接着フィルムおよびダイシング・ダイボンディングフィルムを提供すること。
【解決手段】本発明の導電性接着剤組成物は、金属粒子（Ｐ）と、所定の有機リン化合物（Ａ）とを含み、金属粒子（Ｐ）が、銅、ニッケル、アルミニウムおよびスズの群から選択される１種の金属またはこれらの群から選択される２種以上を含有する合金からなる第１の金属粒子（Ｐ１）を含む。
【選択図】図１【図１】
0005972490.tif 000010
【図２】
0005972490.tif 000011
【図３】
0005972490.tif 000012
【図４】
0005972490.tif 000013
【図５】
0005972490.tif 000014
【図６】
0005972490.tif 000015